【手続補正書】
【提出日】平成26年1月9日(2014.1.9)
【手続補正１】
【補正対象書類名】明細書
【補正対象項目名】００２０
【補正方法】変更
【補正の内容】
【００２０】
【図１】本発明の一実施の形態に係る表示装置の構成の一例を偏光眼鏡と共に表す斜視図である。
【図２】図１の表示装置の内部構成の一例を偏光眼鏡と共に表す図である。
【図３】図２の液晶表示パネルの構成の一例を表す断面図である。
【図４】図２の位相差素子の構成の一例を偏光板と共に表す断面図である。
【図５】図４の右目用位相差領域および左目用位相差領域の遅相軸の一例を他の光学部材の遅相軸または透過軸と共に表す概念図である。
【図６】図１の偏光眼鏡の右目用光学素子および左目用光学素子の構成の一例を表す斜視図である。
【図７】図１の表示装置の映像を右目で観察する際の遅相軸および透過軸の一例について説明するための概念図である。
【図８】図１の表示装置の映像を右目で観察する際の遅相軸および透過軸の他の例について説明するための概念図である。
【図９】図１の表示装置の映像を左目で観察する際の遅相軸および透過軸の一例について説明するための概念図である。
【図１０】図１の表示装置の映像を左目で観察する際の遅相軸および透過軸の他の例について説明するための概念図である。
【図１１】図４の光学積層体の製造方法の一例について説明するための断面図である。
【図１２】図１１に続く工程について説明するための模式図である。
【図１３】図４の光学積層体の構成の第１変形例を表す断面図である。
【図１４】図４の光学積層体の構成の第２変形例の一例を表す断面図である。
【図１５】図４の光学積層体の構成の第２変形例の他の例を表す断面図である。
【図１６】図１４、図１５の光学積層体の製造方法の一例について説明するための断面図である。
【図１７】図１６に続く工程について説明するための模式図である。
【図１８】図１７に続く工程について説明するための模式図である。
【図１９】図４の光学積層体の構成の第３変形例の一例を表す断面図である。
【図２０】図４の光学積層体の構成の第３変形例の他の例を表す断面図である。
【図２１】図１９、図２０の配向膜置の構成の一例を示す斜視図である。
【図２２】図１９、図２０の光学積層体の製造方法の一例について説明するための断面図である。
【図２３】図１の表示装置の内部構成の他の例を偏光眼鏡と共に表す斜視図である。
【図２４】図２３の液晶表示パネルの構成の一例を表す断面図である。
【手続補正２】
【補正対象書類名】明細書
【補正対象項目名】００２５
【補正方法】変更
【補正の内容】
【００２５】
（液晶表示パネル２０）
液晶表示パネル２０は、複数の画素が行方向および列方向に２次元配列された透過型の表示パネルであり、映像信号に応じて各画素を駆動することによって画像を表示するものである。この液晶表示パネル２０は、例えば、図２，図３に示したように、バックライトユニット１０側から順に、偏光板２１Ａ、透明基板２２、画素電極２３、配向膜２４、液晶層２５、配向膜２６、共通電極２７、カラーフィルタ２８、透明基板２９および偏光板２１Ｂを有している。
【手続補正３】
【補正対象書類名】明細書
【補正対象項目名】００２６
【補正方法】変更
【補正の内容】
【００２６】
ここで、偏光板２１Ａは、液晶表示パネル２０の光入射側に配置された偏光板であり、偏光板２１Ｂは液晶表示パネル２０の光射出側に配置された偏光板である。偏光板２１Ａ，２１Ｂは、光学シャッターの一種であり、ある一定の振動方向の光（偏光）のみを通過させる。偏光板２１Ａ，２１Ｂはそれぞれ、例えば、偏光軸が互いに所定の角度だけ（例えば９０度）異なるように配置されており、これによりバックライトユニット１０からの射出光が液晶層を介して透過し、あるいは遮断されるようになっている。なお、偏光板は、板状に限定されない。
【手続補正４】
【補正対象書類名】明細書
【補正対象項目名】００３１
【補正方法】変更
【補正の内容】
【００３１】
偏光板２１Ｂは、実際には、例えば、図４（Ａ）に示したように、透明基板２９の表面に粘着層２０Ａを介して貼り付けられている。図４（Ａ）には、位相差素子３０と、偏光板２１Ｂとが粘着層４０Ａを介して互いに貼り合わされたものに対して光学積層体４０という名称が付されている。この光学積層体４０は、透明基板２９の表面に貼り合わされた種々の光学部材の積層体を指しており、この光学積層体４０の厚さが表示装置１の３Ｄ特性（クロストーク）を規制するパラメータの１つとなっている。なお、クロストークとは、以下に示した式で定義されるものである。
【手続補正５】
【補正対象書類名】明細書
【補正対象項目名】００３６
【補正方法】変更
【補正の内容】
【００３６】
右目用位相差領域３１Ａは、例えば、図４（Ｂ）、図５（Ａ），（Ｂ）に示したように、偏光板２１Ｂの偏光軸ＡＸ３と４５°で交差する方向に遅相軸ＡＸ１を有している。一方、左目用位相差領域３１Ｂは、例えば、図４（Ｂ）、図５（Ａ），（Ｂ）に示したように、偏光板２１Ｂの偏光軸ＡＸ３と４５°で交差する方向であって、かつ遅相軸ＡＸ１と直交する方向に遅相軸ＡＸ２を有している。遅相軸ＡＸ１，ＡＸ２はそれぞれ、例えば、図５（Ａ），（Ｂ）に示したように、偏光板２１Ｂの偏光軸ＡＸ３が垂直方向または水平方向を向いている場合には斜め４５°方向を向いている。また、図示しないが、偏光板２１Ｂの偏光軸ＡＸ３が斜め４５°方向を向いている場合には、遅相軸ＡＸ１が例えば水平方向に延在しており、遅相軸ＡＸ２が例えば垂直方向を向いている。
【手続補正６】
【補正対象書類名】明細書
【補正対象項目名】００６３
【補正方法】変更
【補正の内容】
【００６３】
次に、位相差素子３０を製造する。まず、位相差フィルム１１０と、基材３２Ａの表面にアンチグレア層３２Ｂを有するアンチグレアフィルム３２とを、位相差層３１および基材３２Ａが粘着層３０Ａを介して互いに接するように重ね合わせる（図１１（Ａ），（Ｂ））。なお、粘着層３０Ａは、アンチグレアフィルム３２側に設けられていてもよいし、位相差フィルム１１０側に設けられていてもよい。その後、配向基材１００を剥離する（図１１（Ｃ））。これにより、位相差素子３０が完成する。
【手続補正７】
【補正対象書類名】明細書
【補正対象項目名】００６７
【補正方法】変更
【補正の内容】
【００６７】
まず、バックライトユニット１０から照射された光が液晶表示パネル２０に入射している状態で、映像信号として右目用画像および左目用画像を含む視差信号が液晶表示パネル２０に入力される。すると、奇数行の画素から右目用画像光Ｌ１が出力され（図７（Ａ），（Ｂ）または図８（Ａ），（Ｂ））、偶数行の画素から左目用画像光Ｌ２が出力される（図９（Ａ），（Ｂ）または図１０（Ａ），（Ｂ））。
【手続補正８】
【補正対象書類名】明細書
【補正対象項目名】００８５
【補正方法】変更
【補正の内容】
【００８５】
次に、配向膜３４上に位相差層３１を形成する。例えば、まず、配向膜３４の表面に、液晶性モノマーを含む液晶層を、例えばロールコータなどでコーティングして形成する。このとき、液晶層には、必要に応じて、液晶性モノマーを溶解させるための溶媒、重合開始剤、重合禁止剤、界面活性剤、レベリング剤などを用いることができる。
【手続補正９】
【補正対象書類名】明細書
【補正対象項目名】００９０
【補正方法】変更
【補正の内容】
【００９０】
反射型の液晶表示パネル５０は、例えば、図２４に示したように、上記実施の形態の液晶表示パネル２０において、透明基板２９と偏光板２１Ｂとの間に、λ／４波長板５１を設けたものである。なお、反射型の液晶表示パネル５０において、例えば、画素電極２３が光反射機能を持った金属電極で構成されていてもよい。